(57)【要約】【課題】本発明は携帯電話機を使用した商品広告システムに関し、特にユーザのメールアドレスに広告を配信し、開封を条件に各種特典を付与するシステムであり、更に来店したユーザに対して現実の商品購入にポイント等の特典を利用できるシステムを構築するものである。【解決手段】本発明は携帯電話機、店舗、及び管理サーバがインターネット等のネットワークを介して接続された商品広告システムであり、このようなシステムにおいて、店舗毎に携帯電話機を使用して会員登録を行い、初期ポイントを取得し、店舗情報を受信してポイント加算を行い、メールを送信してポイントクジに参加する機会を得る。このように構成することにより、ポイントを順次蓄積し、会員登録した店舗において買い物をする際代金の一部として使用することができる。【選択図】図１
2005115577.tif 000002
【特許請求の範囲】
【請求項１】
携帯端末と店舗がネットワークを介して管理サーバに接続された商品広告システムにおいて、
前記店舗に対して会員登録を行うと、初期ポイントを付与する初期ポイント付与手段と、
前記店舗から送信される店舗情報を、前記携帯端末が受信するとポイントを追加するポイント追加手段と、
前記店舗情報の入力に対応して、前記携帯端末からメールを前記店舗に送信すると、ポイントクジへの参加を可能とするポイントクジ参加手段とを有し、
前記ポイントは前記店舗において商品購入に利用できることを特徴とする商品広告システム。
【請求項２】
前記携帯端末は、携帯電話機であることを特徴とする請求項１記載の商品広告システム。
【請求項３】
前記管理サーバは、前記携帯端末を保有する会員の氏名、郵便番号、性別、生まれた年、及びポイント情報を記憶することを特徴とする請求項１、又は２記載の商品広告システム。
【請求項４】
一定期間以上会員登録を継続すると、蓄積されたポイントに対して利子が付与されることを特徴とする請求項１、２、又は３記載の商品広告システム。
【請求項５】
前記店舗情報は、該店舗の特売情報、目玉商品情報、イベント情報であることを特徴とする請求項１、２、３、又は４記載の商品広告システム。
【請求項６】
前記店舗情報の配信は、何時でも可能であり、日付や時間帯予約による配信も可能であることを特徴とする請求項１、２、３、又は４記載の商品広告システム。
【請求項７】
前記店舗情報の配信は、性別又は年齢を選択して実行することを特徴とする請求項１、２、３、又は４記載の商品広告システム。
【請求項８】
前記店舗情報の配信は、キャリア毎に絵文字を相互変換して実行することを特徴とする請求項１、２、３、又は４記載の商品広告システム。
【請求項９】
携帯端末と店舗がネットワークを介して管理サーバに接続された商品広告システムに使用されるプログラムであり、
前記店舗に対して会員登録を行うと、初期ポイントを付与する初期ポイント付与処理と、
前記店舗から送信される店舗情報を、前記携帯端末が受信するとポイントを追加するポイント追加処理と、
前記店舗情報の入力に対応して、前記携帯端末からメールを前記店舗に送信すると、ポイントクジへの参加を可能とするポイントクジ参加処理とを行い、
前記ポイントを前記店舗において商品購入に利用できるように設定するプログラムであり、コンピュータが実行可能な商品広告プログラム。
【発明の詳細な説明】
【技術分野】
【０００１】
本発明は携帯電話機を使用した商品広告システムに関し、特に会員登録によりポイント付与等の多くの特典が付与される商品広告システムに関する。
【背景技術】
【０００２】
今日、スーパや薬局、各種ファーストフード店等の多くの店舗においてチラシを利用した広告が行われている。また、店舗によっては独自にホームページをもち、インターネットを利用して商品情報等の店舗情報の配信を行っている。
【０００３】
また、特許文献１には電子メールを利用して広告配信の希望を打診し、希望のあったユーザに対して商品広告を配信する発明も開示されている。
【特許文献１】特開２００３−２５６３１８号公報
【発明の開示】
【発明が解決しようとする課題】
【０００４】
しかしながら、上記従来の広告システムでは以下の問題がある。例えば、チラシを利用した広告では手続きが煩雑であり、配布できる地域も限られる。また、インターネットを利用してホームページに商品広告を載せる場合、ユーザがホームページにアクセスしなければ意味がない。さらに、上記特許文献１の発明でも、積極的にユーザに商品広告を送信するシステムではなく、更にポイント加算等の各種特典を付与するシステムでもない。
【０００５】
そこで、本発明はユーザのメールアドレスに広告を配信し、各種特典を付与するシステムであり、来店したユーザが現実に商品購入する際に特典を利用できるシステムを構築するものである。
【課題を解決するための手段】
【０００６】
上記課題は本発明によれば、携帯端末と店舗がネットワークを介して管理サーバに接続された商品広告システムにおいて、前記店舗に対して会員登録を行うと、初期ポイントを付与する初期ポイント付与手段と、前記店舗から送信される店舗情報を、前記携帯端末が受信するとポイントを追加するポイント追加手段と、前記店舗情報の入力に対応して、前記携帯端末からメールを前記店舗に送信すると、ポイントクジへの参加を可能とするポイントクジ参加手段とを有し、前記ポイントは前記店舗において商品購入に利用できる商品広告システムを提供することによって達成できる。
【０００７】
このように構成することにより、本システムに会員登録したユーザは、当該店舗で買い物をする際、ポイントを利用することができ、会員は商品を安く購入でき、一方店舗は顧客集客力を増すことができる。尚、前記携帯端末は、例えば携帯電話機である。
【０００８】
また、前記管理サーバは、例えば前記携帯端末を保有する会員の氏名、郵便番号、性別、年齢、及びポイント情報を記憶する。但し、上記情報に限るわけではなく、例えば住所や電話番号等の他の情報も登録できる構成としてもよい。
【０００９】
また、一定期間（例えば、３ヶ月）以上会員登録を継続すると、蓄積されたポイントに対して利子が付与される構成である。このように構成することにより、会員の特典が増し、更に本システムへの加入促進を図ることができる。
【００１０】
一方、前述の店舗情報は、例えば店舗の特売情報、目玉商品情報、イベント情報であり、更に店舗情報の配信は何時でも可能であり、日付や時間帯予約による配信も可能である。また、性別又は年齢を選択して店舗情報を配信することもできる。このように構成することにより、会員のニーズに対応した店舗情報を配信することができる。
【００１１】
さらに、店舗情報の配信は、キャリア毎に絵文字を相互変換して行うことができ、例えば自動絵文字変換機能を搭載し、店舗情報を変換して会員に配信する。
また、上記課題は本発明によれば、携帯端末と店舗がネットワークを介して管理サーバに接続された商品広告システムに使用されるプログラムであり、前記店舗に対して会員登録を行うと、初期ポイントを付与する初期ポイント付与処理と、前記店舗から送信される店舗情報を、前記携帯端末が受信するとポイントを追加するポイント追加処理と、前記店舗情報の入力に対応して、前記携帯端末からメールを前記店舗に送信すると、ポイントクジへの参加を可能とするポイントクジ参加処理とを行い、前記ポイントを前記店舗において商品購入に利用できるように設定するプログラムであり、コンピュータが実行可能な商品広告プログラムを提供することによって達成できる。
【００１２】
本発明はプログラムの発明であり、このように構成することによっても、ポイントを加算し、店舗で商品を購入する際、ポイントを利用することができ、会員は商品を安く購入でき、一方店舗は顧客集客力を増すことができる。
【発明の効果】
【００１３】
本発明は上記構成により、会員が店舗で買い物をする際、ポイントを利用することができ、会員は商品を安く購入でき、店舗は顧客集客力を増すことができる。
【発明を実施するための最良の形態】
【００１４】
以下、本発明の実施形態を図面に基づいて詳細に説明する。
図１は本発明のシステム構成図である。同図に示すように、本システムは管理センタ１と多数の携帯電話機２ａ、２ｂ、・・・、及び各種店舗３ａ、３ｂ、・・・がインターネットを含むネットワークを介して接続されている。尚、管理センタ１は後述するサーバを有し、本システムの管理運営を行う。また、携帯電話機２ａ、２ｂ、・・・は各ユーザが所有する端末機器であり、携帯電話機に限るものではない。例えば、メール機能を有するモバイルパソコンや、ＰＤＡ（personal digital assistants）等であっても利用可能である。
【００１５】
図２は上記管理センタ１に構築されたサーバの模式図である。同図において、サーバ４は、ＣＰＵ５、ＲＯＭ６、ＲＡＭ７等で構成され、ＣＰＵ５はＲＯＭ６に記録されたシステムプログラムに従って処理を行い、必要に応じてサーバ４に接続された記憶装置８をアクセスする。
【００１６】
また、ディスプレイ９には必要な情報が表示され、通信回線を介して情報の授受が行われる。尚、本例のシステム制御はＲＯＭ６に記憶したプログラムに従って実行されるが、同図に示すようにサーバ４に配設されたメディアドライバ１０にＣＤ−ＲＯＭ、フレキシブルディスク、ＭＯ等の記録媒体１１を装着し、この記録媒体１１から上記プログラムを読出して使用する構成としてもよい。
【００１７】
図３は上記記憶装置８に構築されたデータベースの一例を説明する図である。各店舗毎にユーザ（会員）の「メールアドレス」、「郵便番号」、「氏名」、「性別」、「年齢」、「ポイント」の各記憶エリアが設けられ、「ポイント」のエリアには現在までに獲得した会員のポイント数が登録されている。尚、上記「年齢」のエリアに登録されるデータは、ユーザが入力した「生まれた年」の情報に基づいて計算した結果である。
【００１８】
例えば、店舗３ａの「会員番号」０００１のエリアには、「メールアドレス」が“abc@de.・・・”であり、「郵便番号」が“１００−００１１であり、「氏名」が“〇〇〇”であり、「性別」が“Ｆ（女性）”であり、「年齢」が５０才であり、「ポイント」を現在１００ポイント獲得しているユーザが登録されている。
【００１９】
また、例えば店舗３ａの次の「会員番号」０００２のエリアには、「メールアドレス」が“fgh@ij.・・・”であり、「郵便番号」が“１０１−００１２であり、「氏名」が“△△△”であり、「性別」が“Ｍ（男性）”であり、「年齢」が３０才であり、「ポイント」を現在３００ポイント獲得しているユーザが登録されている。
【００２０】
さらに、同図に示す店舗３ｂ以降についても、同様に各店舗に登録したユーザのメールアドレスや氏名等のデータが登録されている。尚、本例のデータベースに登録された店舗３ａ、３ｂ、３ｃは、例えばチェーン展開するドラッグストアであり、店舗３ｄ以降は、例えば各種ファーストフード店である。
【００２１】
次に、場合を分けて本例の処理動作を説明する。
＜登録処理＞
先ず、ユーザが本システムに会員登録する際の登録処理を説明する。
【００２２】
図４はこの登録処理を説明するフローチャートである。先ず、会員登録する為にはインターネットに接続し、希望する店舗のトップページを自己の携帯電話機２（例えば、携帯電話機２ａ）のディスプレイに表示する（ステップ（以下、Ｓで示す）１）。尚、店舗のトップページのＵＲＬ（uniform resource locator）は、例えばチラシ広告やビラ等に記載され、ユーザは容易に各店舗のトップページを開くことができる。
【００２３】
図５はこの表示状態を示す図であり、「くすりのビックヤマト」のトップページを示す。このトップページには、“当店からくるメールをからなずチェックしてね！！”の記述があり、最新ニュース等を見ることもできる。
【００２４】
店舗のトップページを開いたユーザは会員登録するか否か判断し、必要なキー操作を行う（Ｓ２がＹＥＳ）。この場合、前述のサーバ４（管理センタ１）に対して空のメールを送信し（Ｓ３）、メールを受信したサーバ４は、自動的にメールアドレスを読み取る（Ｓ４がＹＥＳ、Ｓ５）。そして、このメールアドレスの情報は、前述のデータベースに登録される。
【００２５】
例えば、店舗３ａに新たな会員登録（氏名“×××”の会員登録）を行うと、図３に矢印で示す「会員番号」０００３のエリアに新たな会員登録が行われる（Ｓ６）。例えば、「メールアドレス」“klm@no.・・・”、「郵便番号」“１０３−００１３”、「氏名」“×××”、「性別」“Ｍ（男性）”、「年齢」３５才の新規会員登録が行われる。この時、初期ポイントとして５０ポイントが付与され、更に懸賞への応募が自動的に行われる。尚、上記登録処理は、各店舗に設置された専用端末を操作して行うこともできる。
【００２６】
サーバ４（管理センタ１）は、上記登録処理が完了すると、登録完了通知を会員番号やシステム説明と共にユーザ（当該会員）に返送する（Ｓ７）。
図６は返送メールの内容を示す図である。例えば、同図に示すように、登録完了のお知らせとして“くすりのビックヤマト[南浦和店]、メルマガ会員登録が完了しました”との表示が行われ、会員番号、更に本例の商品広告システムの説明が表示される（Ｓ８がＹＥＳ、Ｓ９）。
【００２７】
尚、会員登録を行った後、会員登録を解除する為には図５に示す解除アドレスを指示することによって脱会することができる（Ｓ２がＮＯ、Ｓ１１）。すなわち、対応するメールアドレスに送信することによって、サーバ４はデータベースから当該会員の情報を削除し、会員登録を抹消する。
【００２８】
また、会員登録を行った後、ポイント情報を確認する為には図５に示すポイント確認を指示することによって現在のポイント情報を確認することができる（Ｓ１０がＮＯ、Ｓ１２）。この場合、サーバ４は当該指示が送られると、データベースからポイント情報を読み出し、指示があった会員にポイント情報を送信する。したがって、本例のシステムにおいて、会員は携帯電話機２を使用して何時でも蓄積されたポイントを確認することができる（Ｓ１３）。
【００２９】
尚、上記キー操作がポイント確認でもない場合、携帯電話機２に設けられた他のキー操作であると判断して対応する処理を行う（Ｓ１４）。
＜店舗情報配信処理＞
次に、各店舗３ａ、３ｂ、・・・が行う会員への店舗情報の配信処理について、図７に示すフローチャートに従って説明する。
【００３０】
先ず、各店舗はメールに添付する広告情報を用意し（ステップ（以下、ＳＴで示す）１）、メールに広告情報を添付する。このメールをデータベースに登録された会員のメールアドレスに送信する（ＳＴ２）。尚、各店舗は何時でもメールの発行を行うことができ、発行日時の予約も可能であり、即時に配信することも可能である。
【００３１】
上記メールを受信すると、各会員の携帯電話機２のディスプレイにはメール受信有りの表示が行われ、送信元（例えば、店舗名）の情報が表示される（ＳＴ３、ＳＴ４）。ユーザはこの表示を確認し、メールを開封するか判断する（ＳＴ５）。
【００３２】
ここで、メールを開かない場合（ＳＴ５がＮＯ）、処理を終了する。一方、メールを開封すると（ＳＴ５がＹＥＳ）、当該店舗の情報がディスプレイに表示される（ＳＴ６）。図８はこの時の表示状態を示す図であり、店舗情報等が表示される。ユーザはこの情報を見て当該店舗で現在行われている各種情報を取得する。
【００３３】
また、メール配信は店舗毎に会員を区分して行うことができる。例えば、購買商品のジャンルによって区分し、又は来店時期によって区分してメール配信を行うことができる。また、年齢や性別、郵便番号（地域）によってメール配信を行うことができる。また、上記設定は店舗が自由に行うことができ、かつ店舗が過去の購買記録等を使用して設定する。
【００３４】
また、メールを受信すると全員にポイントが加算される（ＳＴ７）。すなわち、サーバ４ではＣＰＵ５の制御によって全ての会員にポイントを加算する。例えば、図３に示す登録状態において、ポイントが１０ポイント加算され、氏名“〇〇〇”のポイントは１１０ポイントとなり、氏名“△△△”のポイントが３１０ポイントとなり、氏名“×××”のポイントは６０ポイントとなる。
【００３５】
一方、ユーザがメールを開封すると、当該情報はサーバ４に送信され（ＳＴ８）、メールの開封が所定時間以内（例えば、メール送信から８時間以内）であれば、ポイントくじに参加できる。図９は送信されるポイントくじのメール内容であり、ポイントくじに参加する際のＵＲＬが記述されている。
【００３６】
このＵＲＬにアクセスすると、例えば店舗が設定したランダムポイント（例えば、はずれが５％、１０ポイントが１０％、・・・）が当たるくじに参加できる。以上のようにして、ポイントが順次蓄積し、店舗で買い物をする際、代金の一部としてポイントを利用することができる。したがって、ユーザは商品を安く購入することができ、一方店舗は顧客集客力を増し、収益向上に繋がる。
【００３７】
尚、ポイントくじに当たると、更にポイントが加算され、また店舗で使用したポイントは、例えば店員がサーバにアクセスして対応するユーザのポイントを減算する。
＜ポイント編集処理＞
次に、ポイント編集処理について説明する。
【００３８】
図１０はポイント編集画面を示す図であり、同図（ａ）は編集データ入力画面を示し、同図（ｂ）は編集終了画面を示す。店舗の店員は上記ポイント編集画面を使用し、ポイントの減算処理や加算処理を行う。
【００３９】
例えば、店舗において商品を購入し、会員のポイントを減算する際、ポイント編集画面のエリアａに減算対象の会員の会員番号を入力し、エリアｂに減算するポイント数を入力する。このポイント数は店舗毎に設定されており、商品毎又は購入代金毎に決められたポイント数を減算する。また、減算指示はポイント編集画面に示す「減算」ボタンを指定することによって設定できる。
【００４０】
上記処理の結果は同図（ｂ）に示す画面に表示され、例えば同図（ｂ）は加算結果であり、対応する会員のポイント加算値が表示される。尚、上記ポイントの編集は店舗に設置されたパーソナルコンピュータ、又は携帯端末を使用して行うことができる。
【００４１】
一方、現在蓄積されているポイント数を知りたい場合、同図（ａ）に示すポイント編集画面のエリアｃに会員番号を入力し、検索ボタンを指示することによって当該会員のポイント数を確認することができる。尚、この確認は、店舗又は会員自身が行うことができる。
【００４２】
以上のように本例によれば、本システムに加入する店舗に会員登録することによって、初期ポイントの付与を受け、店舗情報の受信によってポイント加算処理を受け、メールの送信によってポイントクジへの参加が可能となる。さらに、例えば３ヶ月以上会員登録を継続することによってポイントに利子が付き、多くの特典を得ることができる。
【００４３】
尚、店舗から配信する情報は、例えば写真付き広告情報等、自由に設定でき、当該ページのＵＲＬをメールに載せて送信することができる。
また、各携帯キャリア毎に絵文字を相互変換して送信する自動絵文字変換機能を搭載する為、絵文字を使用したメール配信を行うこともできる。図１１はこの処理を示し、携帯キャリア毎に絵文字を変換して店舗情報を送信する。
【００４４】
尚、店舗毎に図１２に示す専用端末を用意し、携帯電話機に接続するだけで自動的に携帯アドレス宛にメールを発行し、会員登録を完了させることもできる。
また、図１３は前述の会員登録を行う際の登録設定画面であり、同図に示すように、設定画面には「氏名」、「郵便番号」、「性別」、「生まれ年」の記述エリアが設けられている。会員登録を希望するユーザは、上記各エリアに対応する情報を記述し、前述のデータベースが構築される。
【００４５】
さらに、本システムに加入した店舗には、店舗毎に専用のホームページやメールアドレスの提供を行う。また、サーバを管理する管理センタ１は、商品企画を一定期間毎に開催し、各店舗が会員募集の手段として有効利用できるように機能する。
【００４６】
また、各店舗は携帯電話機２を使用して画像をアップロードでき、この画像を使用して自由なページを作成し、リアルタイムにメール配信できる。例えば、図１４が携帯電話機２の写メールにより、画像をアップロードする画面の一例であり、図１５がアップロードした画像を用いて配信するページを編集する画面の一例である。
【図面の簡単な説明】
【００４７】
【図１】本発明のシステム構成図である。
【図２】管理センタに構築されたサーバの模式図である。
【図３】記憶装置に構築されたデータベースの構成を説明する図である。
【図４】登録処理を説明するフローチャートである。
【図５】ある店舗のトップページの表示状態を示す図である。
【図６】会員登録の完了通知の例を示す図である。
【図７】店舗からの店舗情報の送信処理を説明するフローチャートである。
【図８】メール送信の際の表示画面を示す図である。
【図９】送信メールの内容を示す図である。
【図１０】（ａ）は、編集データ入力画面を示す図であり、（ｂ）は、編集処理の終了画面を示す図である。
【図１１】携帯キャリア毎に絵文字を変換して店舗情報を送信する一例を示す図である。
【図１２】店舗毎に用意した専用端末の一例を示す図である。
【図１３】会員登録の登録フォームの一例を示す図である。
【図１４】携帯電話機の写メールにより、画像をアップロードする画面の一例を示す図である。
【図１５】アップロードした画像を用いて配信するページを編集する画面の一例を示す図である。
【符号の説明】
【００４８】
１  管理センタ
２ａ、２ｂ、・・・      携帯電話機
３      店舗
４      サーバ
５      ＣＰＵ
６      ＲＯＭ
７      ＲＡＭ
８      記憶装置
９      ディスプレイ
１０      メディアドライバ
１１      記録媒体
【図１】
2005115577.tif 000003
【図２】
2005115577.tif 000004
【図３】
2005115577.tif 000005
【図４】
2005115577.tif 000006
【図５】
2005115577.tif 000007
【図６】
2005115577.tif 000008
【図７】
2005115577.tif 000009
【図８】
2005115577.tif 000010
【図９】
2005115577.tif 000011
【図１０】
2005115577.tif 000012
【図１１】
2005115577.tif 000013
【図１２】
2005115577.tif 000014
【図１３】
2005115577.tif 000015
【図１４】
2005115577.tif 000016
【図１５】
2005115577.tif 000017